(57)【要約】      （修正有）【課題】携帯用電子機器に簡単に着脱でき、又、装着時に携帯用電子機器をしっかりと密着させることのできる保護フレームを提供する。【解決手段】フレームは、２分割された第１のフレームと第２のフレームとからなり、これら第１のフレームと第２のフレームの一方の連結端は、回動連結部で回動自在に連結され、これら第１のフレームと第２のフレームの他方の連結端は、着脱係止部で着脱自在に連結し、フレームは、長方形の携帯用電子機器の全外周部を包囲するように４辺形に構成され、２分割された第１のフレームと第２のフレームは、それぞれＬ字形をなしている。【選択図】図１
0003179749.tif 000002
【実用新案登録請求の範囲】
【請求項１】
携帯用電子機器の全外周部を包囲する硬質のフレームを嵌合する携帯用電子機器の保護フレームにおいて、前記フレームは、２分割された第１のフレームと第２のフレームとからなり、これら第１のフレームと第２のフレームの一方の連結端は、回動連結部で回動自在に連結され、これら第１のフレームと第２のフレームの他方の連結端は、着脱係止部で着脱自在に連結してなることを特徴とする携帯用電子機器の保護フレーム。
【請求項２】
フレームは、長方形の携帯用電子機器の全外周部を包囲するように４辺形に構成され、このフレームを構成する２分割された第１のフレームと第２のフレームは、それぞれＬ字形をなしていることを特徴とする請求項１記載の携帯用電子機器の保護フレーム。
【請求項３】
着脱係止部は、互いに連結される第１のフレームと第２のフレームのいずれか一方の端に、軸で軸支されたフックを設け、このフックに対峙する第１のフレームと第２のフレームのいずれか他方の端に、前記フックの係止凹部に係脱する係止突部を設けたことを特徴とする請求項１又は２記載の携帯用電子機器の保護フレーム。
【請求項４】
フレームの内側の携帯用電子機器の外周に接する箇所に、携帯用電子機器を弾性的に保持するクッション材を設け、このクッション材の弾性力でフックを保持するようにしたことを特徴とする請求項３記載の携帯用電子機器の保護フレーム。
【請求項５】
フックは、軸に設けたコイルばねでフックの係止凹部が係止突部から外れる方向に付勢したことを特徴とする請求項３又は４記載の携帯用電子機器の保護フレーム。
【請求項６】
フックは、軸に設けたコイルばねでフックの係止凹部が係止突部嵌合する方向に付勢したことを特徴とする請求項３又は４記載の携帯用電子機器の保護フレーム。
【考案の詳細な説明】
【技術分野】
【０００１】
本考案は、携帯用電子機器の全外周に嵌め込み、操作性向上、器体保護、アクセサリー等として使用する携帯用電子機器の保護フレームに関するものである。
【背景技術】
【０００２】
従来、図８に示すような携帯用電子機器の保護フレームが知られている（特許文献１）。
この図８において、使用の際に、携帯用電子機器を筐体１で周りを囲むように筐体１内に入れる。続いて蓋２の嵌合縁部２１と筐体１の切り口１１上の両端のスライド溝１５とを向かい合わせ、蓋２を筐体１の切り口１１から奥に押せば、蓋２の嵌合縁部２１は筐体１の内壁面のスライド溝１５に嵌り、蓋２の第２ストッパー２２は筐体１の第１ストッパー１２に当接し、筐体１の第１突起状固定部１３は蓋２の第２スリット２３内をスライドして蓋２の嵌合溝２５に嵌る。このとき蓋２は第２突起状固定部２４と筐体１の第１突起状固定部１３とが相互に嵌ることによって固定されるため、筐体１から脱落することがない。つまり、保護カバー内に携帯用電子機器を安定して格納することができる。携帯用電子機器の枠は筐体１の内壁面状のパッド１６の緩衝によって保護される。なお、筐体１において、１０は、第１開口部、１４は、第１スリットである。また、蓋２において、２０は、第２開口部である。
【先行技術文献】
【特許文献】
【０００３】
【特許文献１】実用新案登録第３１７２６８３号公報。
【考案の概要】
【考案が解決しようとする課題】
【０００４】
特許文献１に記載のものは、保護カバーが筐体１と蓋２の２物品からなるものであるため、携帯用電子機器に取り付ける度に筐体１から蓋２を外したり、嵌め込んだりしなければならず、操作が面倒であること、筐体１と蓋２の２物品であり、蓋２の嵌合縁部２１で携帯用電子機器の画面を遮らない様にできるだけ嵌合縁部２１はできるだけ細く、又、互いに嵌合する筐体１のスライド溝１５と蓋２の嵌合縁部２１を精密に加工することが要求されること、嵌合縁部２１を細くすると変形して互いに嵌合しにくくなること、筐体１の内側にパッド１６があるが、携帯用電子機器を嵌め込むとき、パッド１６と携帯用電子機器を密着させようとすると、パッド１６がめくれる恐れがあることなどの問題があった。
【０００５】
本考案は、携帯用電子機器に保護フレームを簡単に着脱でき、又、装着時に携帯用電子機器をフレームにしっかりと密着させることのできるものを提供しようとするものである。
【課題を解決するための手段】
【０００６】
本考案による携帯用電子機器の保護フレームは、携帯用電子機器の全外周部を包囲する硬質のフレームを嵌合する携帯用電子機器の保護フレームであって、前記フレームは、２分割された第１のフレームと第２のフレームとからなり、これら第１のフレームと第２のフレームの一方の連結端は、回動連結部で回動自在に連結され、これら第１のフレームと第２のフレームの他方の連結端は、着脱係止部で着脱自在に連結してなることを特徴とする。
【０００７】
前記フレームは、長方形の携帯用電子機器の全外周部を包囲するように４辺形に構成され、このフレームを構成する２分割された第１のフレームと第２のフレームは、それぞれＬ字形をなしていることを特徴とする。
【考案の効果】
【０００８】
請求項１記載の考案によれば、携帯用電子機器の全外周部を包囲する硬質のフレームを嵌合する携帯用電子機器の保護フレームにおいて、前記フレームは、２分割された第１のフレームと第２のフレームとからなり、これら第１のフレームと第２のフレームの一方の連結端は、回動連結部で回動自在に連結され、これら第１のフレームと第２のフレームの他方の連結端は、着脱係止部で着脱自在に連結したので、分離しない１物品で構成でき、また、携帯用電子機器を保護フレームから外したり、嵌め込んだりする操作が容易である。さらに、従来のような２物品からなる場合、蓋部分が細く、かつ嵌め込みのための精密加工を要するが、本考案では、そのような精密加工を要せず、かつ、変形するおそれもない。
【０００９】
請求項２記載の考案によれば、フレームは、長方形の携帯用電子機器の全外周部を包囲するように４辺形に構成され、このフレームを構成する２分割された第１のフレームと第２のフレームは、それぞれＬ字形をなしているので、対向する２箇所の角部又はその付近に回動連結部と着脱係止部を構成すれば、携帯用電子機器のフレームへの嵌め込みがフレームに余分な辺形を与えずに容易に嵌合して、取り付けできる。
【００１０】
請求項３記載の考案によれば、着脱係止部は、互いに連結される第１のフレームと第２のフレームのいずれか一方の端に、軸で軸支されたフックを設け、このフックに対峙する第１のフレームと第２のフレームのいずれか他方の端に、前記フックの係止凹部に係脱する係止突部を設けたので、フックの操作で着脱することができる。
【００１１】
請求項４記載の考案によれば、フレームの内側の携帯用電子機器の外周に接する箇所に、携帯用電子機器を弾性的に保持するクッション材を設け、このクッション材の弾性力でフックを保持するようにしたので、フックは、クッション材の弾性力で外れが防止され、確実に保護される。
【００１２】
請求項５記載の考案によれば、フックは、軸に設けたコイルばねでフックの係止凹部が係止突部から外れる方向に付勢したので、フレームを握るなどしてフックの係止凹部が係止突部から外れると、コイルばねの力でフックを外すことができる。
【００１３】
請求項６記載の考案によれば、フックは、軸に設けたコイルばねでフックの係止凹部が係止突部嵌合する方向に付勢したので、フックを嵌め込むとき、第１のフレームと第２のフレームの端部を近付けるとフックの係止凹部が係止突部に滑りながら嵌め込まれ、フックの嵌め込み動作を必要とせずに嵌合できる。また、一旦嵌め込まれると、フレームを握るなどしてフックの係止凹部が係止突部から浮き上がるような事があっても、コイルばねの力でフックを内側に付勢して外れを防止できる。
【図面の簡単な説明】
【００１４】
【図１】本考案による携帯用電子機器の保護フレームの実施例１を示すもので、フレームを開いた状態の正面図である。
【図２】本考案による携帯用電子機器の保護フレームにおいてフレームを閉じた状態の側面図である。
【図３】図２におけるＤ−Ｄ線の一部省略した断面図である。
【図４】（ａ）は、図３におけるＡ−Ａ線断面図、（ｂ）は、図３におけるＢ−Ｂ線断面図、（ｃ）は、図３におけるＣ−Ｃ線断面図である。
【図５】本考案による着脱係止部の他の実施例を示すもので、（ａ）は、（ｂ）におけるＦ−Ｆ線断面図、（ｂ）は、（ａ）におけるＥ−Ｅ線断面図である。
【図６】本考案によるクッション材の他の実施例を示すもので、（ａ）は、縦断面図、（ｂ）は、Ｇ−Ｇ線拡大断面図である。
【図７】本考案による着脱係止部のさらに他の実施例を示す縦断面図である。
【図８】従来の携帯用電子機器の保護フレームの分解した斜視図である。
【考案を実施するための形態】
【００１５】
本考案による携帯用電子機器の保護フレームは、携帯用電子機器の全外周部を包囲する硬質のフレームを嵌合する携帯用電子機器の保護フレームにおいて、前記フレームは、２分割された第１のフレームと第２のフレームとからなり、これら第１のフレームと第２のフレームの一方の連結端は、回動連結部で回動自在に連結され、これら第１のフレームと第２のフレームの他方の連結端は、着脱係止部で着脱自在に連結する。
前記フレームは、長方形の携帯用電子機器の全外周部を包囲するように４辺形に構成され、このフレームを構成する２分割された第１のフレームと第２のフレームは、それぞれＬ字形をなしている。
【００１６】
前記着脱係止部は、互いに連結される第１のフレームと第２のフレームのいずれか一方の端に、軸で軸支されたフックを設け、このフックに対峙する第１のフレームと第２のフレームのいずれか他方の端に、前記フックの係止凹部に係脱する係止突部を設ける。
前記フレームの内側の携帯用電子機器の外周に接する箇所に、携帯用電子機器を弾性的に保持するクッション材を設け、このクッション材の弾性力でフックを保持する。
【００１７】
前記フックは、軸に設けたコイルばねでフックの係止凹部が係止突部から外れる方向に付勢する。
又、前記フックは、軸に設けたコイルばねでフックの係止凹部が係止突部嵌合する方向に付勢するようにしてもよい。
【実施例１】
【００１８】
本考案による携帯用電子機器の保護フレームの実施例１を図１乃至図４に基き説明する。
これらの図において、３０は、被保護物の携帯用電子機器である。この携帯用電子機器３０の全外周に、本考案の携帯用電子機器の保護フレームが嵌め込まれる。この携帯用電子機器の保護フレームは、図１に示すように、Ｌ字型の第１のフレーム３１ａと第２のフレーム３１ｂとで長方形のフレーム３１が構成される。このフレーム３１は、アルミニウム、合成樹脂、その他の屈曲しにくい硬質の材料からなり、第１のフレーム３１ａと第２のフレーム３１ｂの一方の結合部分は、回動連結部４７で回動可能に連結され、他方の結合部分は、着脱係止部４８で着脱自在に結合される。
【００１９】
前記フレーム３１の内壁全周囲には、携帯用電子機器３０を嵌め込むための浅い嵌合溝部３３が形成されている。この嵌合溝部３３の４角隅部分には、肉薄のゴムなどのクッション材３４が取り付けられており、この嵌合溝部３３に携帯用電子機器３０を嵌め込んだとき、携帯用電子機器３０の外周囲でクッション材３４をやや圧縮するように密着する。このフレーム３１の外周の４箇所の角部分は、変形防止のためやや膨出した肉厚角部３２となっている。
【００２０】
前記回動連結部４７は、図３及び図４（ｂ）に示すように、第１のフレーム３１ａの端部を肉薄のほぞ３５とし、また、対向する第２のフレーム３１ｂの端部は、前記ほぞ３５が嵌め込まれるほぞ溝３６となっており、これらのほぞ３５とほぞ溝３６を貫通して軸３７が差込まれ、この軸３７の両端部に抜け止め部材３８が詰め込まれている。前記ほぞ３５とほぞ溝３６のいずれか一方または両方の外周部分は、図１又は図３に示すように回動に邪魔にならないように外側部分の一部が切り欠かれている。
【００２１】
前記着脱係止部４８は、図３及び図４（ａ）に示すように、第２のフレーム３１ｂの他端部にフック嵌合溝４０を形成し、このフック嵌合溝４０にフック３９が嵌め込み軸４１で回動自在に連結されている。この軸４１の両端部は、抜け止め部材３８である。このフック３９は、軸４１と反対側が係止凹部５０となっており、又、対向する第１のフレーム３１ａの端部には、前記係止凹部５０が係止する係止突部４９が形成されている。さらに、前記フック３９の先端部に臨ませた第１のフレーム３１ａの位置にフック３９を外すための指掛け凹部４２が形成されている。
【００２２】
前記第１のフレーム３１ａと第２のフレーム３１ｂの長辺部分の下から略半分の位置までの外周部分に、フレーム３１を片手で握ったときの滑り止めや装飾などの波形凹凸部４３が形成されている。
前記第２のフレーム３１ｂの横辺には、携帯用電子機器３０の電源釦操作用等の第１操作口４４が形成され、第２のフレーム３１ｂの縦辺には、携帯用電子機器３０の音量釦操作用等の第２操作口４５が形成されている。また、第１のフレーム３１ａの横辺には、携帯用電子機器３０の３０ピンコネクタ接続用、イヤホンコネクタ接続用、内蔵スピーカー音孔用等のコネクタ差し込み孔等４６が形成されている。
【００２３】
このような構成において、本考案のフレーム３１に携帯用電子機器３０を嵌合するには、図１に示すように、着脱係止部４８のフック３９を外して第２のフレーム３１ｂ側を回動連結部４７の軸３７でやや回動して開いておき、第１のフレーム３１ａ側に携帯用電子機器３０を嵌め込む。このとき、携帯用電子機器３０の下辺の両角の外周面がクッション材３４に接しながら嵌合溝部３３に軽く嵌合する。
次に、第２のフレーム３１ｂ側を閉じる方向に回動連結部４７で回動する。携帯用電子機器３０の外周面の寸法よりもフレーム３１のクッション材３４の内周面寸法がわずかに小さくなるようにクッション材３４の厚さを設定しておくことにより、第１のフレーム３１ａと第２のフレーム３１ｂとで携帯用電子機器３０を押し込みながら被せる。被せた後で、着脱係止部４８のフック３９を回動して係止凹部５０が係止突部４９を乗り越えて互いに係止される。係止されると、フレーム３１は、クッション材３４の弾性で外向きに付勢されるので、着脱係止部４８が外れることはない。
【００２４】
携帯用電子機器３０にフレーム３１を嵌めた状態で、波形凹凸部４３部分を手で握りしめ、第１操作口４４から電源釦操作用等が行われ、第２操作口４５から音量釦操作用等行われる。また、コネクタ差し込み孔等４６から３０ピンコネクタやイヤホンコネクタを接続し、内蔵スピーカー音が発せられる。
携帯用電子機器３０からフレーム３１を外すときは、フレーム３１の指掛け凹部４２に指をかけてフック３９を起こすと、クッション材３４に抗してフレーム３１の第１のフレーム３１ａと第２のフレーム３１ｂがわずかに接近し、フック３９の係止凹部５０が係止突部４９から外れる。
【００２５】
次に前記着脱係止部４８の他の実施例を説明する。
図５（ａ）（ｂ）において、フック３９の軸受部５４は、二股に分かれて中央部分が溝部５６となっており、この溝部５６における軸４１の外周にコイルばね５１が介装され、このコイルばね５１の一端部がフック３９の内側に係止し、他端部が第２のフレーム３１ｂ側に係止している。また、軸受部５４には、係止切り欠き５２が形成され、第２のフレーム３１ｂ側のストッパ５３に当接し、コイルばね５１の力でフック３９が外方（矢印方向）に付勢されて開いた状態にある。
【００２６】
また、フレーム３１の嵌合溝部３３には、図６に示すように、４隅のみならず、第１のフレーム３１ａと第２のフレーム３１ｂの縦辺にもクッション材３４を設ける。また、このクッション材３４は、弾力性を持たせるために、図６（ｂ）に示すように、嵌合溝部３３の両側縁で立ち上がるように反らせたものを用い、このクッション材３４の背面の一部を接着剤５５で嵌合溝部３３に接着しておくことが望ましい。
【００２７】
このような構成において、この例におけるフレーム３１に携帯用電子機器３０を嵌合するには、図５（ａ）に示すように、フック３９は、係止切り欠き５２とストッパ５３が当接した位置でコイルばね５１により開放している。この状態で第２のフレーム３１ｂ側を回動連結部４７の軸３７でやや回動して開き、第１のフレーム３１ａ側に携帯用電子機器３０を嵌め込む。
次に、第２のフレーム３１ｂ側を閉じる方向に回動連結部４７で回動する。携帯用電子機器３０の外周面の寸法よりも、クッション材３４の内周面寸法がわずかに小さくなるようにクッション材３４の両側縁が立ち上がるように反っていることにより、第１のフレーム３１ａと第２のフレーム３１ｂとで携帯用電子機器３０を押し込みながら被せる。被せたとき、フック３９のある第２のフレーム３１ｂと対峙する第１のフレーム３１ａとは、クッション材３４によりわずかな隙間５７が生じる。この隙間５７がなくなるようにクッション材３４の弾性に抗して第１のフレーム３１ａと第２のフレーム３１ｂを密着させ、フック３９を回動して係止凹部５０が係止突部４９を乗り越えて互いに係止される。係止されると、フレーム３１は、クッション材３４の弾性で外向きに付勢されるとともに、フック３９がコイルばね５１により係止凹部５０部分を引き込むような力が働き、フック３９が外れることなく確実に係止する。
【００２８】
携帯用電子機器３０からフレーム３１を外すときは、フレーム３１の指掛け凹部４２に指をかけてフック３９を起こすか、クッション材３４に抗して第１のフレーム３１ａと第２のフレーム３１ｂの隙間５７がなくなるようにフレーム３１を軽く握って接近させると、フック３９は、コイルばね５１の力により係止凹部５０が係止突部４９から外れる。
【００２９】
図５に示す例では、フック３９がフレーム３１を軽く握るとコイルばね５１により外れるように構成した。しかし、使用中にフレーム３１を握ると、外れる恐れがあるときは、図７の矢印に示すように、コイルばね５１を、フック３９が第１のフレーム３１ａ側に付勢されるように取り付けることにより、容易に外れるのを防止できる。さらに詳しくは、軸４１に巻き付けたコイルばね５１の両端部をフック３９と第２のフレーム３１ｂ側に固定し、フック３９を常時、図中左周りに付勢しておく。このとき、フック３９が必要以上に回転しないように係止切り欠き５２とストッパ５３で規制する。
このように構成すると、第１のフレーム３１ａと第２のフレーム３１ｂを連結するために、互いに近づけると、フック３９の係止凹部５０が第１のフレーム３１ａの係止突部４９を滑りながら移動し、係止凹部５０が係止突部４９を乗り越えると、パチンと音がして係止凹部５０と係止突部４９が係合する。第１のフレーム３１ａと第２のフレーム３１ｂの隙間５７がなくなる方向に強く握ってもフック３９は外れることがない。
第１のフレーム３１ａと第２のフレーム３１ｂを外すときは、指掛け凹部４２に指先をかけてフック３９をコイルばね５１に抗して引けば外すことができる。
【００３０】
前記実施例では、フレーム３１は、長方形としたが、正４辺形、４辺形以外の多角形、円形、楕円形などであってもよく、携帯用電子機器３０の外形に応じていかなる形状とすることもできる。
フレーム３１は、連結したとき閉鎖した環状であるが、回動連結部４７と着脱係止部４８の位置は、携帯用電子機器３０を略２分する位置であればよく、必ずしも角部又はその近くでなくてもよい。ただし、第１のフレーム３１ａと第２のフレーム３１ｂを開いたとき、いずれか一方に携帯用電子機器３０が円滑に嵌め込まれ、他方が被さる位置であればよい。
【符号の説明】
【００３１】
１０…第１開口部、１１…切口、１２…第１ストッパー、１３…第１突起状固定部、１４…第１スリット、１５…スライド溝、１６…パッド、２０…第２開口部、２１…嵌合縁部、２２…第２ストッパー、２３…第２スリット、２４…第２突起状固定部、２５…嵌合溝、３０…携帯用電子機器、３１…フレーム、３２…肉厚角部、３３…嵌合溝部、３４…クッション材、３５…ほぞ、３６…ほぞ溝、３７…軸、３８…抜け止め部材、３９…フック、４０…フック嵌合溝、４１…軸、４２…指掛け凹部、４３…波形凹凸部、４４…第１操作孔、４５…第２操作孔、４６…コネクタ差し込み孔等、４７…回動連結部、４８…着脱係止部、４９…係止突部、５０…係止凹部、５１…コイルばね、５２…係止切り欠き、５３…ストッパ、５４…軸受部、５５…接着剤、５６…溝部、５７…隙間。
【図１】
0003179749.tif 000003
【図２】
0003179749.tif 000004
【図３】
0003179749.tif 000005
【図４】
0003179749.tif 000006
【図５】
0003179749.tif 000007
【図６】
0003179749.tif 000008
【図７】
0003179749.tif 000009
【図８】
0003179749.tif 000010